(57)【要約】      （修正有）【課題】複数の排水口を備えた排水トラップにおいて、排水口間の逆流を防止し、また下流側に圧送配管を備えた場合に、騒音や破封を防止できる排水トラップを提供する。【解決手段】排水トラップを、排水の流入する排水口１と、排水口から下方に延出された、下方に開口を備えた防臭筒２と、その内部に防臭筒の下方の開口を収納すると共に、排水を溜めて封水を形成する有底筒状の封水椀部３と、封水椀部を溢れ出た排水を下水等に排出する排出口４と、封水椀部内に連通するように設けた、他の排水機器の排水を流入させるための外部排水口５と、から構成し、更に防臭筒から排出口に至る排水流路を閉塞する防臭筒閉塞弁６と、外部排水口から排出口に至る排水流路を閉塞する外部排出口閉塞弁７と、防臭筒閉塞弁が機能する際は外部排水口閉塞弁を開放し、外部排水口閉塞弁が機能する際は防臭筒閉塞弁を開放する連動部８とを備えて構成する。【選択図】図２
2010203113.tif 000002
【特許請求の範囲】
【請求項１】
排水の流入する排水口１と、
排水口１から下方に延出された、下方に開口を備えた防臭筒２と、
その内部に防臭筒２の下方の開口を収納すると共に、排水を溜めて封水を形成する有底筒状の封水椀部３と、
封水椀部３を溢れ出た排水を下水等に排出する排出口４と、
封水椀部３内に連通するように設けた、他の排水機器の排水を流入させるための外部排水口５と、
からなる排水トラップにおいて、
防臭筒２から排出口４に至る排水流路を閉塞する防臭筒閉塞弁６と、
外部排水口５から排出口４に至る排水流路を閉塞する外部排出口４閉塞弁と、
防臭筒閉塞弁６が機能する際は外部排水口閉塞弁７を開放し、外部排水口閉塞弁７が機能する際は防臭筒閉塞弁６を開放するように、防臭筒閉塞弁６と外部排水口閉塞弁７とを連動させる連動部８と、からなる排水ガイド機構を備えた排水トラップ。
【請求項２】
上記排水トラップにおいて、排水ガイド機構を、
筒状の連動部８と、
該連動部８の下方内面において連動部８を閉塞して設けられる防臭筒閉塞弁６と、
連動部８上方外側面において上方の周縁から外周方向に突出した外部排水口閉塞弁７と、
からなる排水ガイド部材９によって構成し、
該排水ガイド部材９を、防臭筒２と封水椀部３の間に、
上昇時には防臭筒２の下端に防臭筒閉塞弁６が当接して防臭筒２下端を閉塞し、
降下時には封水椀部３の上端に外部排水口閉塞弁７が当接して封水椀部３上方の開口を閉塞するように配置したことを特徴とする請求項１に記載の排水トラップ。
【請求項３】
上記排水トラップにおいて、
排水ガイド機構に、排水ガイド機構が適切な位置にて昇降するように規制する昇降ガイド部１０を備えたことを特徴とする、請求項２に記載の排水トラップ。
【請求項４】
上記排水トラップにおいて、
外部排水口５の封水椀部３側端部を封水椀部３内に下方に向けて配置すると共に、防臭筒２下端を平面視外部排水口５に隣接して配置し、
排水ガイド機構を、
くの字状に折り曲げられ、その一片に板状の防臭筒閉塞弁６を、他片に板状の外部排水口閉塞弁７を備え、
折れ曲がり部分を回動自在に軸止することで、
防臭筒閉塞弁６が最大に開放される際は外部排水口閉塞弁７を閉塞し、外部排水口閉塞弁７が最大に開放される際は防臭筒閉塞弁６を閉塞するように構成した事を特徴とする、
請求項１に記載の排水トラップ。
【請求項５】
上記排水トラップにおいて、
排水ガイド機構の比重が、ほぼ１であることを特徴とする、請求項１乃至請求項４のいずれか１つに記載の排水トラップ。
【請求項６】
上記排水トラップにおいて、
排出口４の下流に、負圧によって排水を引き込む圧送配管を備えたことを特徴とする、請求項１乃至請求項５のいずれか１つに記載の排水トラップ。
【発明の詳細な説明】
【技術分野】
【０００１】
本発明は、浴槽・浴室、洗濯機パン、洗面台、流し台などに用いられる、排水トラップに関するものである。
【背景技術】
【０００２】
従来より、浴槽・浴室、洗濯機パン、洗面台、流し台など、使用によって排水が生じる各種の生活機器（以下、「排水機器」と呼ぶ）には、使用によって生じた排水を床下配管など下水側等に排出する排水装置が取り付けられている。これら排水装置の中で、下水側からの臭気や害虫類が屋内側に進入することを防止する機能を備えた排水機器を特に排水トラップと呼ぶ。この排水トラップの構造には様々な種類があるが、一般的に良く知られている排水トラップは、排水の流路中に封水と呼ばれる必ず排水が溜まる部分を設け、この封水の部分を臭気や害虫類が通過できないことを利用して下水側からの臭気や害虫類が屋内側に進入することを防止する機能を備えた、封水式と呼ばれる排水トラップである。以下に従来よく知られた封水式の排水トラップを、図面を参照しつつ説明する。
【０００３】
図１１に示した従来例は、封水式の排水トラップを、浴槽を載置した防水パンに施工した状態を示すものであって、以下に記載した各部材より構成されてなる。
排水トラップは、後記するトラップ本体とフランジ部材からなる。
トラップ本体は、有底円筒形状であって、上方に雌ねじを設けた開口を有し、さらに後述する封水椀部、及び封水椀部を溢れた排水が流れる通水路、通水路の側面に設けた排出口を備えてなる。
封水椀部は有底円筒状で、上方に排水が流入し、また溢れ出る開口を設けてなる。
更に、封水椀部側面に、他の排水機器の排水を流入させるための外部排水口を設けると共に、外部排水口から封水椀部の外方向に枝管部を備えてなる。該枝管部には浴槽排水口からの配管が接続される。
排出口は前記トラップ本体内の排水を下水側配管へ排出するための開口であって、通水路の側面から外方向に向かって形成され、内部はトラップ本体内部の通水路と連通してなる。ここで、トラップ本体内部に、後述する防臭筒から、封水椀部の上端縁部を介して排出口に至る排水の流れ通路（以下、この排水が流れる通路を「排水流路」と記載）と、浴槽排水口から枝管部を介して外部排水口を通過し、封水椀部の上端を介して排出口に至る排水流路の、２通りの排水流路が形成される。
フランジ部材は、上下に開口した円筒形状の部材であって、上端には鍔部を設け、また外周面には前記したトラップ本体の開口の雌ねじと螺合する雄ねじを設け、またその内周側には排水口を開口している。
防臭筒は、上方、下方とも開放された円筒体であり、上方は前記フランジ部材の排水口と着脱自在且つ水密的に嵌合され、下端の開口は前記封水椀部内に配置されてなる。
排水エルボは、後述する防水パンの浴槽側取付部に取り付けられる部材であって、その上面に浴槽を載置した浴槽側防水パン上の排水を集水する排水エルボ排水口を備え、この排水エルボ排水口から排水を、接続先である排水トラップの枝管部に排出するように構成されてなる。また、排水エルボ排水口には、排水配管を介して後述する浴槽排水口からの排水が排出されるように構成される。
また、このような排水トラップは、次のような排水機器である防水パンに施工される。
防水パンは、浴室に用いられる排水機器であって、浴槽を載置するための部分と、使用者が身体等を洗う洗い場部分とから構成されてなり、浴室または浴槽の使用によって生じた排水を受け止める機能を有している。また、防水パンの、浴槽を載置する側には浴槽側取付部を、洗い場側には洗い場側取付部を、それぞれ設けてなる。
また、浴槽は有底箱状にして上方が開口した槽体であって、底面の最も低い位置には浴槽排水口を設けてなる。
また、浴槽の浴槽排水口から、排水エルボの排水エルボ排水口までの間には排水配管が接続される。
また、トラップ本体の排出口には排出口から床下配管までの間を接続する床下接続管が接続される。
【０００４】
上記段落０００３に記載された排水トラップは、以下のようにして防水パンに取付施工される。
排水トラップを、防水パンの洗い場側取付部周縁を間に介した状態で、トラップ本体の雌ねじをフランジ部材の雄ねじに螺合させることで、防水パンの洗い場側取付部周縁が、フランジ部材の鍔部下面と、トラップ本体の下方開口部周縁とで挟持され、防水パンにトラップ本体及びフランジ部材が取り付け固定される。
また、排水エルボを排水トラップの枝管部に接続した後、防水パンの浴槽側取付部に取り付け固定する。
また、浴槽の浴槽排水口から、排水エルボの排水エルボ排水口まで排水配管を接続すると共に、トラップ本体の排出口を床下接続管を介して床下配管に接続させる。
更にフランジ部材の排水口に、防臭筒を着脱自在且つ水密的に嵌合させ、排水トラップの防水パンへの施工が完了する。
【０００５】
上記のように構成された排水トラップ配管において、洗い場側の防水パン上に排水が行われると、排水は、排水口、防臭筒の上方の開口から防臭筒内を通過し、封水椀部内に溜まり、封水椀部の上端から溢れて通水路内を通過し排出口に至り、最終的には排出口から床下接続管、床下配管を介し下水側等に排出される。
また、上記排水トラップ配管において、浴槽または浴槽側防水パン上に排水が行われると、排水は、浴槽排水口又は排水エルボ排水口から排水エルボ内を通過し、枝管部から外部排水口を通って封水椀部内に溜まり、封水椀部の上端から溢れて通水路内を通過し排出口に至り、最終的には排出口から床下接続管、床下配管を介し下水側等に排出される。
また、このとき封水椀部に排水が溜まることで、排水トラップ内に形成された排水流路の少なくとも一部に、封水と呼ばれる排水が溜まった状態が生じる。下水側から臭気や害虫類が逆流してきた場合でも、これら臭気や害虫類がこの封水を乗り越える事ができないため、屋内側に臭気や害虫類が進入することを防止することができる。尚、この下水側から屋内側に臭気や害虫類が進入することを防止する機能を、「トラップ機能」と呼ぶ。
【特許文献１】特開２００３−３３６３０２号公報
【発明の開示】
【発明が解決しようとする課題】
【０００６】
上記のような封水式の排水トラップには、以下のような問題があった。
上記封水式の排水トラップにおいては、排水の流入する部分は排水口と浴槽排水口又は排水エルボ排水口の３箇所があるが、この３つの排水口からの排水は排水トラップ内で合流し、最終的に排出口のみから排出される。このため、排水が大量に生じると、排出口からの排水の排出が排水の流入においつかず、浴槽排水口又は排水エルボ排水口からの排水が排水口に溢れたり、又は排水口からの排水が浴槽排水口や排水エルボ排水口に溢れたり、といった、いわゆる逆流を生じていた。
この問題を解決するため、上記特許文献１の発明では、排水口から排出口に至る流路と、浴槽排水口から排出口に至る流路とをフロート壁によって隔て、排水口と浴槽排水口との間で逆流が生じないように構成していた。
しかし上記フロート壁は、平坦な板状なため、排水トラップ内で傾斜しやすく、傾斜が生じると封水椀部の上端にうまく位置が合わず、機能を充分に果たせない、という問題があった。また、フロート壁の側面部分はトラップ本体の内側面や封水椀部の外側面に強く接して排水の流れを抑制しなければ、流路を分割するという機能を十分に果たすことはできないが、フロート壁の側面部分がトラップ本体の内側面や封水椀部の外側面に強く接していると、接する部分の摩擦によってフロート壁の滑らかな昇降が妨げられるという、機能上矛盾する構成を生じていた。
更には、特許文献１の図３から明らかなように、浴槽排水口から排水があった場合、排水口側の流路は開口されるため、浴槽流排水口から排水口への逆流を防ぐことはできない、という問題があった。
【０００７】
また近年、排水配管の下流側に、負圧を発生させてサイフォン効果により排水の効率を向上させようとする、圧送配管の技術が広く研究されている。負圧を生じる要因は自己の排水に起因する自己サイフォン、排水配管の下流側に接続されている排水機器に起因する誘導サイフォン、またポンプなど機械類に起因する機械式サイフォン等様々であるが、このようなサイフォン現象による排水において、特許文献１に記載したような排水トラップを接続すると、特に特許文献の図３、図４の様態において、排水が生じない側の排水口からは排水の代わりに空気が引き込まれる。サイフォン効果によってこの空気の引き込みが生じると、空気の引き込みが生じた排水口に、空気を引き込む「ヒュー」という笛の音様の騒音や、排水中の空気の泡が流れ、或いは弾ける「ごぼごぼ」という騒音が発生していた。この騒音は特許文献１中の図２のように排水口からのみ排水が生じ、且つ浴槽排水口の流路が閉塞されていれば防ぐことができるが、それ以外の状態（例えば特許文献の図３、図４）では防ぐことができないなど、これまで十分な対応を行うことができていなかった。更に下流側に圧送配管を備えると、封水椀部に溜められている封水が引き込まれ、封水椀部内の水位が防臭筒下端や外部流入口の上端よりもよりも低い水位となり、排水トラップ内の流路において、排出口から排水口、又は浴槽排水口までが通気状態となってしまう、破封と呼ばれる状態となることがあった。この破封状態では、排水トラップはその機能を果たすことができず、排水口から排出口、又は浴槽排出口に、下水側の臭気や害虫類が逆流してしまう、という問題があった。
本発明は上記問題点に鑑み発明されたものであって、排水トラップにおいて、排水の流路に排水ガイド機構を設けることで、排水口間の逆流を防止し、また下流側に圧送配管を備えた場合に、騒音や破封を防止することを目的とした、排水トラップを提供するものである。
【課題を解決するための手段】
【０００８】
請求項１に記載の排水トラップは、排水の流入する排水口１と、排水口１から下方に延出された、下方に開口を備えた防臭筒２と、その内部に防臭筒２の下方の開口を収納すると共に、排水を溜めて封水を形成する有底筒状の封水椀部３と、封水椀部３を溢れ出た排水を下水等に排出する排出口４と、封水椀部３内に連通するように設けた、他の排水機器の排水を流入させるための外部排水口５と、からなる排水トラップにおいて、
防臭筒２から排出口４に至る排水流路を閉塞する防臭筒閉塞弁６と、外部排水口５から排出口４に至る排水流路を閉塞する外部排出口４閉塞弁と、防臭筒閉塞弁６が機能する際は外部排水口閉塞弁７を開放し、外部排水口閉塞弁７が機能する際は防臭筒閉塞弁６を開放するように、防臭筒閉塞弁６と外部排水口閉塞弁７とを連動させる連動部８と、からなる排水ガイド機構を備えたことを特徴とする排水トラップである。
尚、ここでいう「防臭筒閉塞弁６又は外部排水口閉塞弁７が機能する」とは、閉塞弁によって排水流路が閉塞されることを意味する。
【０００９】
請求項２に記載の排水トラップは、上記排水トラップにおいて、排水ガイド機構を、
筒状の連動部８と、該連動部８の下方内面において連動部８を閉塞して設けられる防臭筒閉塞弁６と、連動部８上方外側面において上方の周縁から外周方向に突出した外部排水口閉塞弁７と、からなる排水ガイド部材９によって構成し、
該排水ガイド部材９を、防臭筒２と封水椀部３の間に、上昇時には防臭筒２の下端に防臭筒閉塞弁６が当接して防臭筒２下端を閉塞し、降下時には封水椀部３の上端に外部排水口閉塞弁７が当接して封水椀部３上方の開口を閉塞するように配置したことを特徴とする、段落０００８に記載の排水トラップである。
【００１０】
請求項３に記載の排水トラップは、上記排水トラップにおいて、排水ガイド機構に、排水ガイド機構が適切な位置にて昇降するように規制する昇降ガイド部１０を備えたことを特徴とする、段落０００９に記載の排水トラップである。
【００１１】
請求項４に記載の排水トラップは、上記排水トラップにおいて、外部排水口５の封水椀部３側端部を封水椀部３内に下方に向けて配置すると共に、防臭筒２下端を平面視外部排水口５に隣接して配置し、
排水ガイド機構を、くの字状に折り曲げられ、その一片に板状の防臭筒閉塞弁６を、他片に板状の外部排水口閉塞弁７を備え、折れ曲がり部分を回動自在に軸止することで、防臭筒閉塞弁６が最大に開放される際は外部排水口閉塞弁７を閉塞し、外部排水口閉塞弁７が最大に開放される際は防臭筒閉塞弁６を閉塞するように構成した事を特徴とする、段落０００８に記載の排水トラップである。
【００１２】
請求項５に記載の排水トラップは、上記排水トラップにおいて、排水ガイド機構の比重が、ほぼ１であることを特徴とする、段落０００８乃至段落００１１のいずれか１つに記載の排水トラップである。
【００１３】
請求項６に記載の排水トラップは、上記排水トラップにおいて、排出口４の下流に、負圧によって排水を引き込む圧送配管を備えたことを特徴とする、段落０００８乃至段落００１２のいずれか１つに記載の排水トラップである。
【発明の効果】
【００１４】
本発明の排水トラップは、以下の効果を奏する。
請求項１に記載の本発明は、排水トラップに排水ガイド機構を備えたことで、排水口から充分な排水が生じたときは外部排水口が閉塞され、また外部排水口から充分な排水が生じたときは排水口が閉塞されるため、排水口間で逆流が発生することを防止することができる。
請求項２に記載の本発明では、防臭筒閉塞弁と外部排水口閉塞弁とが連動して上下に昇降する排水ガイド機構を備えた排水トラップの具体的な構成を明確にすることができる。
請求項３に記載の本発明では、上記請求項２のような、防臭筒閉塞弁と外部排水口閉塞弁とが連動して昇降する排水ガイド機構を備えた排水トラップにおいて、排水ガイド機構の昇降動作を安定させることができる。
請求項４に記載の本発明は、防臭筒閉塞弁と外部排水口閉塞弁とが連動して軸止による軸動により機能する排水ガイド機構を備えた排水トラップの具体的な構成を明確にすることができる。
請求項５に記載の本発明は、排水ガイド機構の比重をほぼ１とすることによって、排水ガイド機構を排水の流れに良く反応する機構とすることができる。
請求項６に記載の本発明は、排水ガイド機構によって、大量排水が生じた場合は排水口と外部排水口のいずれか一方の排水口からの排水のみが生じ、他方の排水口は閉塞されるため、負圧によって排水を引き込む圧送配管においても、排水を行っている排水口のみが開口され、他方の排水口は閉塞されているので、引き込みによる騒音や破封を防ぐことができ、圧送排水に好適な排水トラップとすることができる。
【図面の簡単な説明】
【００１５】
【図１】本発明の第一実施例の排水トラップを採用した排水配管の断面図である。
【図２】第一実施例の排水口側の流路が開放された状態を示す要部断面図である。
【図３】第一実施例の外部排水口側の流路が開放された状態を示す要部断面図である。
【図４】第一実施例の排水口側と外部排水口側の両流路が同時に開放された状態を示す要部断面図である。
【図５】図２のＡ−Ａ断面図である。
【図６】本発明の第二実施例の排水トラップを採用した排水配管の断面図である。
【図７】第二実施例の排水口側の流路が開放された状態を示す要部断面図である。
【図８】第二実施例の外部排水口側の流路が開放された状態を示す要部断面図である。
【図９】第一実施例の排水口側と外部排水口側の両流路が同時に開放された状態を示す要部断面図である。
【図１０】図７のＢ−Ｂ断面図である。
【図１１】従来の排水トラップを採用した排水配管の断面図である。
【実施例】
【００１６】
以下に本発明の第一実施例を、図面を参照しつつ説明する。
図１乃至図５に示した本発明の実施例は、以下に記載したトラップ本体１１、フランジ部材１２、防臭筒２、排水エルボ１３、排水ガイド機構を形成する排水ガイド部材９、その他の部材より構成されてなる。
トラップ本体１１は、有底円筒状の封水椀部３と、封水椀部３の上端を覆うように形成され、その内部を封水椀部３から溢れた排水が流れる通水路１４と、通水路１４の側面に設けられた、排水を排出するための排出口４と、通水路１４の上方に設けた、雌ねじを有する開口から構成される。
封水椀部３は有底円筒状で、上方に排水が流入する開口を設けてなる。
更に、封水椀部３側面に、他の排水機器の排水を流入させるため、円形状の開口である外部排水口５を設けると共に、
外部排水口５から封水椀部３の外方向に枝管部２０を備えてなる。該枝管部２０には、排水エルボ１３を介して、浴槽排水口１５からの配管が接続される。
排出口４は前記トラップ本体１１内の排水を下水側配管へ排出するための開口であって、通水路１４の外壁の側面から外方向に向かって形成され、内部はトラップ本体１１内部と連通してなる。
ここで、トラップ本体１１内部に、後述する防臭筒２から、封水椀部３の上端縁部を介して排出口４に至る排水口１排水流路と、浴槽排水口１５から排水エルボ１３、枝管部２０を介して外部排水口５を通過し、封水椀部３の上端を介して排出口４に至る浴槽排水流路の２通りの排水流路が形成される。
フランジ部材１２は、上下に開口した円筒形状の部材であって、上端には鍔部を設け、また外周面には前記したトラップ本体１１の雌ねじと螺合する雄ねじを設け、内側には防水パンＰ上の排水が流入する排水口１を開口している。
防臭筒２は、上下端とも開放された略円筒状であって、上端から一度すり鉢状に縮径した後、下方に円筒部分が降下した形状であり、前記フランジ部材１２の排水口１と着脱自在且つ水密的に嵌合される。
排水ガイド部材９は、防臭筒２と封水椀部３の間に昇降自在に配置される部材であって、平面視防臭筒２の外径よりも大径で、また封水椀部３の内径よりも小径な円筒形状を成す連動部８と、該連動部８の下方内面において連動部８下端を閉塞して設けられる防臭筒閉塞弁６と、連動部８上端の周縁から外周方向に円周に沿って連続して突出した、外径が封水椀部３の外径よりも大径の円環状の板状部分からなる外部排水口閉塞弁７を備えてなる。
尚、外部排水口閉塞弁７は直接外部排水口５に接して外部排水口５を閉塞する構成ではないが、後述するように閉塞時外部排水口５から排出口４に至る外部排水口５流路を、排水口１から排出口４に至る流路と合流する前に閉塞することから、外部排水口５を直接閉塞するのと同じ効果を得ることができる。本発明においては、このように直接外部排水口５に接して外部排水口５を閉塞する構成ではないが、外部排水口５から排出口４に至る外部排水口５流路を、排水口１から排出口４に至る流路と合流する前に閉塞することにより、外部排水口５を直接閉塞するのと同じ効果を得ることができる弁を、直接外部排水口５に接して外部排水口５を閉塞する構成の弁と同様に「外部排水口閉塞弁７」とする。
また、上記排水ガイド部材９において、防臭筒閉塞弁６の上面（防臭筒２下端と当接する面）及び、外部排水口閉塞弁７の下面（封水椀部３上端と当接する面）にはシリコンゴムからなる弾性面が備えられ、当接時の水密性を高めている。
また、排水ガイド部材９は全体として１よりは大きいが１に近い比重（１．０５等）にて構成されている。尚、ここでいう「全体としては１に近い比重」とは、部分的には１よりも相当に小さい、又は大きい比重であったとしても、排水ガイド部材９全体の重量を、排水ガイド部材９全体の体積で割った比重は１に近い比重になる、という意味である。
また、上記排水ガイド部材９の側面の円筒部分には、排水ガイド部材９が排水トラップの防臭筒２と封水椀部３の間において同心円状に位置ずれを生じることなく昇降するように、施工完了時防臭筒２に線接触する板状の昇降ガイド部１０を、内側方向に複数突出して設けてなる。
排水エルボ１３は、後述する防水パンＰの浴槽側取付部に取り付けられる部材であって、その上面に浴槽Ｂを載置した浴槽側防水パンＰ上の排水を集水する排水エルボ排水口１３ａを備え、この排水エルボ排水口１３ａから排水を、接続先である排水トラップの枝管部２０に排出するように構成されてなる。また、排水エルボ排水口１３ａには、排水配管を介して後述する浴槽排水口１５からの排水が排出されるように構成される。
また、このような排水トラップは、次のような排水機器である防水パンＰに施工される。
防水パンＰは、浴室に用いられる排水機器であって、
浴槽Ｂを載置するための部分と、使用者が身体等を洗う洗い場部分とから構成されてなり、浴室または浴槽Ｂの使用によって生じた排水を受け止める機能を有している。また、防水パンＰの、浴槽Ｂを載置する側には浴槽側取付部を、洗い場側には洗い場側取付部を、それぞれ設けてなる。
また、浴槽Ｂは有底箱状にして上方が開口した槽体であって、底面の最も低い位置には浴槽排水口１５を設けてなる。
また、浴槽Ｂの浴槽排水口１５から、排水エルボ１３の排水エルボ排水口１３ａまでの間には排水配管が接続される。
また、トラップ本体１１の排出口４には排出口４から床下配管までの間を接続する床下接続管Ｕが接続される。この床下接続管Ｕは管体が９０度折れ曲がったエルボ管であって、管体の縦方向の部分の径が一部縮径することによって排水中から空気を締め出し、排水時自己サイフォンによる圧送配管を行うように構成されてなる。
【００１７】
上記段落００１６に示した排水トラップの各部材は、下記の方法によって、排水機器である防水パンＰ及び浴槽Ｂに接続される。
排水トラップを、防水パンＰの洗い場側取付部周縁を間に介した状態で、トラップ本体１１の雌ねじをフランジ部材１２の雄ねじに螺合させることで、防水パンＰの洗い場側取付部周縁が、フランジ部材１２の鍔部下面と、トラップ本体１１の下方開口部周縁とで挟持され、防水パンＰにトラップ本体１１及びフランジ部材１２が取り付け固定される。
また、排水エルボ１３を排水トラップの枝管部２０に接続した後、防水パンＰの浴槽側取付部に取り付け固定する。
また、浴槽Ｂの浴槽排水口１５から、排水エルボ１３の排水エルボ排水口１３ａまで排水配管を接続すると共に、トラップ本体１１の排出口４を床下接続管Ｕを介して床下配管に接続させる。
次に、排水口１から封水椀部３内に排水ガイド部材９を、有底円筒形状の底部分が下方になるように、且つ図５に示したように、封水椀部３側面と円筒部分とが同心円となるように封水椀部３内に配置する。
更にフランジ部材１２の排水口１に、防臭筒２を着脱自在且つ水密的に嵌合させ、排水トラップの防水パンＰへの施工が完了する。このとき、防臭筒２の筒部分の側面は、排水ガイド部材９の昇降ガイド部１０に線接触するように配置される。
【００１８】
上記のように構成された排水トラップ配管において、洗い場側の防水パンＰ上に排水が行われると、排水は、排水口１、防臭筒２の上方の開口から防臭筒２内を通過し、封水椀部３内に配置された排水ガイド部材９を、図２に示したように、封水椀部３の上端に排水ガイド部材９の外部排水口閉塞弁７が当接する位置まで降下させた上で排水ガイド部材９内部に溜まり、排水ガイド部材９の上端から溢れて通水路１４内を通過し排出口４に至り、最終的には排出口４から床下配管を介し下水側等に排出される。
また、このとき排水ガイド部材９内部に排水が溜まることで、溜まった水が封水として機能し、排水トラップの排水口１から排出口４に至る排水流路はトラップ機能を備えることとなる。
また、この時上述したように、排水ガイド部材９は封水椀部３の上端に排水ガイド部材９の外部排水口閉塞弁７が当接する位置まで降下するため、封水椀部３の上方の開口は排水口１閉塞弁を含む排水ガイド部材９によって閉塞される。
この閉塞により、排水口１から排出口４に向かって流れる排水が、外部排水口５から排水エルボ排水口１３ａや浴槽排水口１５に逆流することなく、スムーズに排出口４から排出される。
【００１９】
また、上記排水トラップ配管において、浴槽Ｂまたは浴槽側防水パンＰ上に排水が行われると、排水は、排水配管を介して浴槽排水口１５から、又は排水エルボ排水口１３ａから排水エルボ１３内を通過し、枝管部２０から外部排水口５に至り、更に封水椀部３と排水ガイド部材９の間に溜まって封水を形成しつつ、図３に示したように、排水ガイド部材９を排水ガイド部材９底面の防臭筒閉塞弁６が防臭筒２下端を閉塞させるまで上昇させ、更に封水椀部３の上端から溢れて通水路１４内を通過し排出口４に至り、最終的には排出口４から床下配管を介し下水側等に排出される（排水ガイド部材９が上昇したことで封水椀部３上端と外部排水口閉塞弁７とが離間し、浴槽排水口１５または排水エルボ排水口１３ａから排出口４に至る排水流路が開放される）。
また、このとき封水椀部３内部に排水が溜まることで、溜まった水が封水として機能し、排水トラップの浴槽排水口１５又は排水エルボ排水口１３ａから排出口４に至る排水流路はトラップ機能を備えることとなる。
また、この時上述したように、排水ガイド部材９は防臭筒２の下端に排水ガイド部材９の防臭筒閉塞弁６が当接する位置まで上昇するため、防臭筒２の下方の開口は防臭筒閉塞弁６によって閉塞される。
この閉塞により、浴槽排水口１５又は排水エルボ排水口１３ａから排出口４に向かって流れる排水が、排水口１に逆流することなく、スムーズに排出口４から排出される。
上記のように、防臭筒閉塞弁６と外部排出口４閉塞弁とは連動部８を介して排水ガイド部材９という一体の部材に構成されているため、防臭筒閉塞弁６と外部排出口４閉塞弁とは連動して動作する。具体的には、排水ガイド部材９が上昇すると、防臭筒閉塞弁６が防臭筒２下端に当接して防臭筒２下端を閉塞すると同時に、外部排水口閉塞弁７は封水椀部３上端から離間して封水椀部３上方を開放し、排水ガイド部材９が降下すると、外部排水口閉塞弁７が封水椀部３上端に当接して封水椀部３上端を閉塞すると同時に、防臭筒閉塞弁６は防臭筒２下端から離間して防臭筒２下方を開放する。
【００２０】
また、上記のように構成された排水トラップ配管において、浴槽Ｂまたは浴槽側防水パンＰ上、及び洗い場側の防水パンＰ上に同時に排水が行われると、排水は、上記した排水口１から排出口４に至る排水の流れと、浴槽排水口１５又は排水エルボ排水口１３ａから排出口４に至る排水の流れの２通りの排水の流れが生じることとなる。この時排水ガイド部材９は図４に示したように、封水椀部３の上端に外部排水口閉塞弁７が当接して封水椀部３上端が閉塞することも、防臭筒２下端に防臭筒閉塞弁６が当接して防臭筒２下端が閉塞することもなく、２つの流路をそれぞれ開放した状態になる。この時は排水口１及び浴槽排水口１５又は排水エルボ排水口１３ａから排水が行われているため、排水口１から浴槽排水口１５又は排水エルボ排水口１３ａへの逆流や、浴槽排水口１５又は排水エルボ排水口１３ａから排水口１への逆流が生じることはない。
そして、排水口１と浴槽排水口１５又は排水エルボ排水口１３ａのいずれか一方の排水が終了すると、排水が終了した側の排水流路を閉塞するように排水ガイド部材９が昇降する。具体的には、浴槽Ｂまたは浴槽側防水パンＰ上の排水が終了し、洗い場側の防水パンＰ上の排水だけとなった場合は、排水ガイド部材９は降下して段落００１８に記載した状態に移行する。
また、洗い場側の防水パンＰ上の排水が終了し、浴槽Ｂまたは浴槽側防水パンＰ上の排水だけとなった場合は、排水ガイド部材９は上昇して段落００１９に記載した状態に移行する。
【００２１】
また、上記排水トラップの排出口４に接続される床下接続管Ｕは、管体の縦方向の部分の径が一部縮径するように構成されている。このため、この縮径部分にて排水中の空気が締め出され、配管は排水のみで満水となる。排水中に空気が泡などの状態で混入していると、自己サイフォンによって生じた負圧は排水よりも空気を引き込むように作用するため、排水の負圧による引き込みは生じないため、この満水部分から上流では排水は単に自重によって下流側に流れてゆくのみであるが、この満水部分より下流では下流側の排水が流れる際に生じる自己サイフォンの負圧によって排水が引き込まれ、排水の自重に加えて負圧によって排水の排出が高速に行われる。
更にこの圧送排水時においても、上記排水ガイド部材９によって、排水口１からの排水が行われている際には浴槽排水口１５又は排水エルボ排水口１３ａから排出口４に至る流路が、
浴槽排水口１５又は排水エルボ排水口１３ａからの排水が行われている際には排水口１から排出口４に至る流路が、それぞれ閉塞されているため、排出口４から負圧による引き込みが生じても、閉塞されている側の排水流路からは空気が引き込まれることはなく、従来例のような「ヒュー」という笛の音様の騒音や、排水中の空気の泡が流れ、或いは弾ける「ごぼごぼ」といった騒音が生じることはない。また、同じく排出口４から負圧による引き込みが生じても、閉塞されている側の排水流路、即ち排水が行われていない側の排水流路は閉塞されているので、閉塞されている側の排水流路から封水が引き込まれることはなく、封水が流出して破封を生じることもない（排水が行われている側の流路は当然排水の供給があるため、破封はほとんど生じない）。
【００２２】
上記段落００１８乃至段落００２０に記載した各排水の過程において、排水ガイド部材９には、排水ガイド部材９の円筒部分が防臭筒２及び封水椀部３に対して同心円状を維持したまま昇降するように規制する昇降ガイド部１０を備えており、昇降時に防臭筒閉塞弁６や外部排水口閉塞弁７が位置ずれを起こして防臭筒２や外部排水口５の閉塞が不完全になる、といった問題が生じないようにしている。防臭筒２と昇降ガイド部１０との接触は線接触で、両者の間の摩擦はほとんど生じないため、排水ガイド部材９の昇降は極めてスムーズに行われる。
また、上記第一実施例の排水ガイド部材９では、排水ガイド部材９は全体として１よりは大きいが１に近い比重（１．０５等）にて構成されているため、排水の浮力によって排水ガイド部材９が勝手に上昇動作してしまうということが無く、またその比重が大きい為に排水の流れ等によっても排水ガイド部材９が動作しない、ということも無く、排水の流れに沿ってスムーズに動作し、上記段落００１８乃至段落００２０に記載したような排水を排出口４に導くガイドとしての機能を果たす。このように、特許文献１に記載の発明のフロート壁に比べ、本実施例の排水ガイド機構を構成する排水ガイド部材９はその信頼性が遙かに向上している。
【００２３】
次に本発明の第二実施例を、図面を参照しつつ説明する。
図５乃至図８に示した本発明の実施例は、以下に記載したトラップ本体１１、フランジ部材１２、防臭筒２、排水エルボ１３、排水ガイド機構を形成する排水ガイド部材９を備えた排水口アダプター１８、その他の部材より構成されてなる。
トラップ本体１１は、有底円筒状にしてその上方に設けられた雌ねじを有する開口を備えてなり、内部に封水を溜めることで後述する封水壁１７上端までの高さ位置が封水椀部３として機能するケーシング部１６と、該ケーシング部１６の側面に設けられた、排水を排出するための排出口４と、から構成される。
排出口４は前記トラップ本体１１内の排水を下水側配管へ排出するための開口であって、トラップ本体１１の外壁の側面から外方向に向かって形成され、内部はトラップ本体１１内部と連通してなり、更に排出口４内部であって、ほケーシング部１６と連続する部分に、排出口４の下端から垂立して封水を確保するための封水壁１７を設けてなる。
ここで、トラップ本体１１内部に、後述する防臭筒２から、封水壁１７上縁を介して排出口４に至る排水口１排水流路と、浴槽排水口１５から排水エルボ１３、枝管部２０を介して外部排水口５を通過し、封水壁１７上縁を介して排出口４に至る浴槽排水流路の２通りの排水流路が形成される。
フランジ部材１２は、上下に開口した円筒形状の部材であって、上端には鍔部を設け、また外周面には前記したトラップ本体１１の雌ねじと螺合する雄ねじを設け、内側には防水パンＰ上の排水が流入する排水口１を開口している。
排水口アダプター１８は排水口１に水密的に接続される部材であって、以下に詳述する円盤部１９、防臭筒２、枝管部２０、排水ガイド部材９、から構成される。
円盤部１９は平面視円形状にして上面に開口を有し、施工完了時排水口１内面と水密的に当接する。
防臭筒２は該円盤部１９上面に設けた開口の周縁から半円形状の筒を垂下して構成されてなり、施工完了時下端部分は封水椀部３内に配置される。
枝管部２０は防臭筒２に隣接する位置において円盤部１９を貫通する筒体であって、円盤部１９より上方では水平方向に屈曲して施工完了時排水エルボ１３部材に接続され、円盤部１９より下方では防臭筒２下端と同じ高さまで半円形状の筒を延出して外部排水口５を形成し、施工完了時下端部分は封水椀部３内に配置される。
排水ガイド部材９はくの字状に折り曲げられ、その一片に板状の防臭筒閉塞弁６を、他片に板状の外部排水口閉塞弁７を備えてなり、更に折れ曲がりに沿って連動部８として機能する回動軸８ａを設けてなる。
また、上記排水ガイド部材９において、防臭筒閉塞弁６の上面（防臭筒２下端と当接する面）及び、外部排水口閉塞弁７の上面（封水椀部３上端と当接する面）にはシリコンゴムからなる弾性面が備えられ、当接時の水密性を高めている。
該排水ガイド部材９は防臭筒２と外部排水口５の中間部分において回動軸８ａを回動自在に軸止してなり、防臭筒２から排水が生じ、防臭筒２下端から防臭筒閉塞弁６が離間して防臭筒２下端が開放されると、排水ガイド部材９が回動して外部排水口閉塞弁７が外部排水口５下端に当接し、外部排水口５を閉塞する。また、外部排水口５から排水が生じ、外部排水口５下端から外部排水口閉塞弁７が離間して外部排水口５が開放されると、排水ガイド部材９が回動して防臭筒閉塞弁６が防臭筒２下端に当接し、防臭筒２下端を閉塞する。排水ガイド部材９は全体として１よりは大きいが１に近い比重（１．０５等）にて構成されている。尚、通常の排水が生じない状態では、図７に示したように、排水ガイド部材９は外部排水口閉塞弁７が外部排水口５に当接して閉塞するように構成されている。
排水エルボ１３は、後述する防水パンＰの浴槽側取付部に取り付けられる部材であって、その上面に浴槽Ｂを載置した浴槽側防水パンＰ上の排水を集水する排水エルボ排水口１３ａを備え、この排水エルボ排水口１３ａから排水を、接続先である排水トラップの枝管部２０に排出するように構成されてなる。また、排水エルボ排水口１３ａには、排水配管を介して後述する浴槽排水口１５からの排水が排出されるように構成される。
また、このような排水トラップは、次のような排水機器である防水パンＰに施工される。
防水パンＰは、浴室に用いられる排水機器であって、
浴槽Ｂを載置するための部分と、使用者が身体等を洗う洗い場部分とから構成されてなり、浴室または浴槽Ｂの使用によって生じた排水を受け止める機能を有している。また、防水パンＰの、浴槽Ｂを載置する側には浴槽側取付部を、洗い場側には洗い場側取付部を、それぞれ設けてなる。
尚、洗い場側取付部は洗い場部上面から下方に向かって円筒状に突出しており、その円筒部分の側面にエルボ部材が貫通する貫通孔が設けられている。
また、浴槽Ｂは有底箱状にして上方が開口した槽体であって、底面の最も低い位置には浴槽排水口１５を設けてなる。
また、浴槽Ｂの浴槽排水口１５から、排水エルボ１３の排水エルボ排水口１３ａまでの間には排水配管が接続される。
また、トラップ本体１１の排出口４には排出口４から床下配管までの間を接続する床下接続管Ｕが接続される。この床下接続管Ｕは管体が９０度折れ曲がったエルボ管であって、管体の縦方向の部分の径が一部縮径することによって排水中から空気を締め出し、排水時自己サイフォンによる圧送配管を行うように構成されてなる。
【００２４】
上記段落００２３に示した排水トラップの各部材は、下記の方法によって、排水機器である防水パンＰ及び浴槽Ｂに接続される。
排水トラップを、防水パンＰの洗い場側取付部周縁を間に介した状態で、トラップ本体１１の雌ねじをフランジ部材１２の雄ねじに螺合させることで、防水パンＰの洗い場側取付部周縁が、フランジ部材１２の鍔部下面と、トラップ本体１１の下方開口部周縁とで挟持され、防水パンＰにトラップ本体１１及びフランジ部材１２が取り付け固定される。
また、排水エルボ１３の下流側端部を、洗い場側取付部近傍に設けられた貫通孔を貫通させた上で、防水パンＰの浴槽側取付部に取り付け固定する。
また、浴槽Ｂの浴槽排水口１５から、排水エルボ１３の排水エルボ排水口１３ａまで排水配管を接続すると共に、トラップ本体１１の排出口４を床下接続管Ｕを介して床下配管に接続させる。
次に、枝管部２０を排水エルボ１３の下流側端部に接続した状態で、排水口アダプター１８を、排水口１に、防臭筒２下端、外部排水口５、及び排水ガイド部材９が封水椀部３内となるように、円盤部１９外周部分と水密的に嵌合させ配置させて、排水トラップの防水パンＰへの施工が完了する。
【００２５】
上記のように構成された排水トラップ配管において、洗い場側の防水パンＰ上に排水が行われると、排水は、排水口１、防臭筒２の上方の開口から防臭筒２内を通過し、防臭筒２下端から封水椀部３内に排水を排出し、封水椀部３内に排水が溜まり、封水壁１７の上縁まで水位が上昇した時点で排出口４から溢れ出し、最終的には排出口４から床下配管を介し下水側等に排出される。
また、この時、封水椀部３内に排水が溜まることで、溜まった水が封水として機能し、排水トラップの排水口１から排出口４に至る排水流路はトラップ機能を備えることとなる。
また、この時、図７に示したように、排水ガイド部材９は防臭筒閉塞弁６が防臭筒２下端から離間して排水の通水を行い、一方外部排水口閉塞弁７は外部排水口５に当接して外部排水口５を閉塞している。この閉塞により、排水口１から排出口４に向かって流れる排水が、外部排水口５から排水エルボ排水口１３ａや浴槽排水口１５に逆流することなく、スムーズに排出口４から排出される。
【００２６】
また、上記排水トラップ配管において、浴槽Ｂまたは浴槽側防水パンＰ上に排水が行われると、排水は、排水配管を介して浴槽排水口１５から、又は排水エルボ排水口１３ａから排水エルボ１３内を通過し、枝管部２０から外部排水口５に至り、排水ガイド部材９を回動させ、図８に示したように、外部排水口５から外部排水口閉塞弁７が離間して開放され、封水椀部３内に排水を排出し、封水椀部３内に排水が溜まり、封水壁１７の上縁まで水位が上昇した時点で排出口４から溢れ出し、最終的には排出口４から床下配管を介し下水側等に排出される。
また、この時、排水ガイド部材９は、外部排水口閉塞弁７は外部排水口５から離間して排水の通水を行い、一方防臭筒閉塞弁６は防臭筒２下端に当接して防臭筒２下端を閉塞している。この閉塞により、浴槽排水口１５や排水エルボ排水口１３ａから排出口４に向かって流れる排水が、防臭筒２下端から排水口１に逆流することなく、スムーズに排出口４から排出される。
【００２７】
また、上記のように構成された排水トラップ配管において、浴槽Ｂまたは浴槽側防水パンＰ上、及び洗い場側の防水パンＰ上に同時に排水が行われると、排水は、上記した排水口１から排出口４に至る排水の流れと、浴槽排水口１５又は排水エルボ排水口１３ａから排出口４に至る排水の流れの２通りの排水の流れが生じることとなる。この時排水ガイド部材９は図９に示したように、外部排水口５に外部排水口閉塞弁７が当接して外部排水口５が閉塞することも、防臭筒２下端に防臭筒閉塞弁６が当接して防臭筒２下端が閉塞することもなく、２つの流路をそれぞれ開放した状態になる。この時は排水口１及び浴槽排水口１５又は排水エルボ排水口１３ａから排水が行われているため、排水口１から浴槽排水口１５又は排水エルボ排水口１３ａへの逆流や、浴槽排水口１５又は排水エルボ排水口１３ａから排水口１への逆流が生じることはない。
そして、排水口１と浴槽排水口１５又は排水エルボ排水口１３ａのいずれか一方の排水が終了すると、排水が終了した側の排水流路を閉塞するように排水ガイド部材９が昇降する。具体的には、浴槽Ｂまたは浴槽側防水パンＰ上の排水が終了し、洗い場側の防水パンＰ上の排水だけとなった場合は、外部排水口５に外部排水口閉塞弁７が当接して外部排水口５を閉塞し、段落００２５に記載した状態に移行する。
また、洗い場側の防水パンＰ上の排水が終了し、浴槽Ｂまたは浴槽側防水パンＰ上の排水だけとなった場合は、防臭筒２下端に防臭筒閉塞弁６が当接して防臭筒２下端を閉塞し、段落００２６に記載した状態に移行する。
【００２８】
また、上記排水トラップの排出口４に接続される床下接続管Ｕは、管体の縦方向の部分の径が一部縮径するように構成されている。このため、この縮径部分にて排水中の空気が締め出され、配管は排水のみで満水となる。排水中に空気が泡などの状態で混入していると、自己サイフォンによって生じた負圧は排水よりも空気を引き込むように作用するため、排水の負圧による引き込みは生じないため、この満水部分から上流では排水は単に自重によって下流側に流れてゆくのみであるが、この満水部分より下流では下流側の排水が流れる際に生じる自己サイフォンの負圧によって排水が引き込まれ、排水の自重に加えて負圧によって排水の排出が高速に行われる。
更にこの圧送排水時においても、上記排水ガイド部材９によって、排水口１からの排水が行われている際には浴槽排水口１５又は排水エルボ排水口１３ａから排出口４に至る流路が、
浴槽排水口１５又は排水エルボ排水口１３ａからの排水が行われている際には排水口１から排出口４に至る流路が、それぞれ閉塞されているため、排出口４から負圧による引き込みが生じても、閉塞されている側の排水流路からは空気が引き込まれることはなく、従来例のような「ヒュー」という笛の音様の騒音や、排水中の空気の泡が流れ、或いは弾ける「ごぼごぼ」といった騒音が生じることはない。
【００２９】
上記段落００２５乃至段落００２７に記載した各排水の過程において、排水ガイド部材９は、連動部８として機能する回動軸８ａを備えてなり、回動軸８ａでの回動動作によって、防臭筒閉塞弁６と外部排出口４閉塞弁とは連動して動作する。具体的には、回動軸８ａの回動により防臭筒閉塞弁６が防臭筒２下端に当接して防臭筒２下端を閉塞すると同時に、外部排水口閉塞弁７は外部排水口５から離間して外部排水口５を開放し、また外部排水口閉塞弁７が外部排水口５に当接して外部排水口５を閉塞すると同時に、防臭筒閉塞弁６は防臭筒２下端から離間して防臭筒２下方を開放する。
また、上記第二実施例の排水ガイド部材９では、排水ガイド部材９は全体として１よりは大きいが１に近い比重（１．０５等）にて構成されているため、排水の浮力によって排水ガイド部材９が勝手に動作してしまうということが無く、またその比重が大きい為に排水の流れ等によっても排水ガイド部材９が動作しない、ということも無く、排水の流れに沿ってスムーズに動作し、上記段落００２３に記載したような排水を排出口４に導くガイドとしての機能を果たす。このように、特許文献１に記載の発明のフロート壁に比べ、本実施例の排水ガイド機構を構成する排水ガイド部材９はその信頼性が遙かに向上している。
【００３０】
本発明の実施例は以上のようであるが、本発明は上記実施例に限定される物ではなく、主旨を変更しない範囲において自由に変更が可能である。例えば、本発明の実施例では、圧送排水を、床下接続管Ｕの縦方向の部分の径を一部縮径するように構成し、それによる自己サイフォンによって達成しているが、本発明は上記実施例に限定されることなく、例えば機械的機構によって負圧を発生させ、圧送排水を行うようにしてもかまわない。
また必要に応じては、圧送排水の機構を省略してもかまわない。
【符号の説明】
【００３１】
１      排水口                    ２      防臭筒
３      封水椀部                  ４      排出口
５      外部排水口                ６      防臭筒閉塞弁
７      外部排水口閉塞弁          ８      連動部
８ａ    回動軸                    ９      排水ガイド部材
１０    昇降ガイド部              １１    トラップ本体
１２    フランジ部材              １３    排水エルボ
１３ａ  排水エルボ排水口          １４    通水路
１５    浴槽排水口                １６    ケーシング部
１７    封水壁                    １８    排水口アダプター
１９    円盤部                    ２０    枝管部
Ｂ      浴槽                      Ｐ      防水パン
Ｕ      床下接続管
【図１】
2010203113.tif 000003
【図２】
2010203113.tif 000004
【図３】
2010203113.tif 000005
【図４】
2010203113.tif 000006
【図５】
2010203113.tif 000007
【図６】
2010203113.tif 000008
【図７】
2010203113.tif 000009
【図８】
2010203113.tif 000010
【図９】
2010203113.tif 000011
【図１０】
2010203113.tif 000012
【図１１】
2010203113.tif 000013